(57)【要約】【課題】ディスクが載置されていないトレイを検出するために要する時間を短縮することが可能なディスク装置を提供する。【解決手段】ＣＤプレーヤー１は、蓋部が開けられた場合、ディスクセンサ６１〜６５から通知される情報に基づいて、空きトレイを特定する。ＣＤプレーヤー１は、ターンテーブル５を回転させて、特定した空きトレイを蓋部の直下のトレイ５２の位置に移動させる。移動させたトレイにＣＤが載置された場合、ＣＤプレーヤー１は、更に空きトレイを特定し、特定した空きトレイを蓋部の直下のトレイ５２の位置に更に移動させる。ＣＤプレーヤー１は、空きトレイがなくなるまで又は蓋部が閉じられるまで、上述した処理を繰り返す。【選択図】図２
2010244591.tif 000002
【特許請求の範囲】
【請求項１】
回転可能な円盤に、複数のディスクがそれぞれ載置される複数のトレイを形成してなるディスク保持部を備え、該ディスク保持部に形成されたいずれかのトレイに載置されたディスクに対して情報の記録又は再生を行なうディスク装置において、
前記トレイのそれぞれにディスクが載置されているか否かを検出する検出手段を備えることを特徴とするディスク装置。
【請求項２】
前記トレイのそれぞれに対応付けられた位置に、前記トレイのそれぞれにディスクが載置されているか否かを検知するセンサを複数備え、
前記検出手段は、前記センサによる検知結果に基づいて、前記トレイのそれぞれにディスクが載置されているか否かを検出するようにしてあることを特徴とする請求項１に記載のディスク装置。
【請求項３】
前記トレイの少なくとも１つに対応付けられた位置に設けられ、前記トレイにディスクが載置されているか否かを検知するセンサと、
所定位置を基準として、前記ディスク保持部の回転に伴って移動する各トレイの位置、及び各トレイにディスクが載置されているか否かを示す情報を対応付けて記憶する記憶手段とを備え、
前記検出手段は、前記記憶手段に記憶されている情報に基づいて、前記トレイのそれぞれにディスクが載置されているか否かを検出するようにしてあることを特徴とする請求項１に記載のディスク装置。
【請求項４】
前記ディスク保持部に形成されたいずれかのトレイにディスクを載置させるための開口部を備え、
前記センサは、前記開口部からディスクが載置されるトレイに対応付けられた位置に設けられていることを特徴とする請求項３に記載のディスク装置。
【請求項５】
前記センサは、前記ディスク保持部に形成されたいずれかのトレイに載置されたディスクに対して情報の記録又は再生を行なう記録再生手段であることを特徴とする請求項３又は４に記載のディスク装置。
【請求項６】
前記ディスク保持部に形成されたトレイのうちの１又は複数のトレイにディスクを載置するための開口部と、
ディスクの載置指示を受け付ける受付手段と、
該受付手段が載置指示を受け付けた場合、前記ディスク保持部を回転させて、前記検出手段によってディスクが載置されていないことを検出されたトレイを、前記開口部からディスクが載置される位置に移動させる回転手段と
を備えることを特徴とする請求項１から５までのいずれかひとつに記載のディスク装置。
【発明の詳細な説明】
【技術分野】
【０００１】
本発明は、ＣＤ（Compact Disc）、ＤＶＤ（Digital Versatile Disc）、ブルーレイディスク（Blu-ray Disc：登録商標）等の円盤状の記録媒体を保持するディスク装置に関する。
【背景技術】
【０００２】
ＣＤ，ＤＶＤ，ブルーレイディスク等の光ディスクに記録してある音声信号及び映像信号を再生する再生装置、光ディスクに対して音声信号及び映像信号を記録する記録装置が普及している。また、装置に対して光ディスクの入れ替えを行なう手間を削減するために、複数の光ディスクの装着が可能なターンテーブルを備えた装置も提供されている（特許文献１参照）。特許文献１の装置では、トレイにディスクが収納されているか否かを検出する検出手段が所定位置に設けられており、ローディング用トレイ（ターンテーブル）の各トレイが所定位置に到達した場合に、検出手段によって、ディスクが収納されているか否かを検出できる。
【先行技術文献】
【特許文献】
【０００３】
【特許文献１】実開平６−３０９３９号公報
【発明の概要】
【発明が解決しようとする課題】
【０００４】
しかし、特許文献１の装置では、検出手段が設けられた位置以外の位置にあるトレイについては、ディスクが収納されているか否かを把握できない。即ち、各トレイにディスクが収納されているか否かを検出する場合、ローディング用トレイを回転させ、検出手段が設けられた位置まで各トレイを移動させる必要がある。よって、各トレイにディスクが収納されているか否かを検出するために時間を要するという問題があった。
【０００５】
本発明は、斯かる事情に鑑みてなされたものであり、その目的とするところは、ディスクが載置されていないトレイを検出するために要する時間を短縮することが可能なディスク装置を提供することにある。
【課題を解決するための手段】
【０００６】
本発明に係るディスク装置は、回転可能な円盤に、複数のディスクがそれぞれ載置される複数のトレイを形成してなるディスク保持部を備え、該ディスク保持部に形成されたいずれかのトレイに載置されたディスクに対して情報の記録又は再生を行なうディスク装置において、前記トレイのそれぞれにディスクが載置されているか否かを検出する検出手段を備えることを特徴とする。
【０００７】
本発明によれば、複数のトレイのそれぞれにディスクが載置されているか否かを検出するので、ディスクが載置されていないトレイを常に把握することが可能となる。
【０００８】
本発明に係るディスク装置は、前記トレイのそれぞれに対応付けられた位置に、前記トレイのそれぞれにディスクが載置されているか否かを検知するセンサを複数備え、前記検出手段は、前記センサによる検知結果に基づいて、前記トレイのそれぞれにディスクが載置されているか否かを検出するようにしてあることを特徴とする。
【０００９】
本発明によれば、それぞれのトレイに対応付けられた位置に、各トレイにディスクが載置されているか否かを検知するセンサを備えることにより、各トレイにディスクが載置されているか否かを精度よく検出することが可能となる。
【００１０】
本発明に係るディスク装置は、前記トレイの少なくとも１つに対応付けられた位置に設けられ、前記トレイにディスクが載置されているか否かを検知するセンサと、所定位置を基準として、前記ディスク保持部の回転に伴って移動する各トレイの位置、及び各トレイにディスクが載置されているか否かを示す情報を対応付けて記憶する記憶手段とを備え、前記検出手段は、前記記憶手段に記憶されている情報に基づいて、前記トレイのそれぞれにディスクが載置されているか否かを検出するようにしてあることを特徴とする。
【００１１】
本発明によれば、少なくとも１つのトレイに対応付けられた位置に、該トレイにディスクが載置されているか否かを検知するセンサを備える。また、センサによる検知結果に基づいて、所定位置を基準とした各トレイの位置、及び各トレイにディスクが載置されているか否かを示す情報を対応付けて記憶しておく。よって、トレイの数よりも少ない数のセンサを用いた場合であっても、各トレイにディスクが載置されているか否かを検出することが可能となる。
【００１２】
本発明に係るディスク装置は、前記ディスク保持部に形成されたいずれかのトレイにディスクを載置させるための開口部を備え、前記センサは、前記開口部からディスクが載置されるトレイに対応付けられた位置に設けられていることを特徴とする。
【００１３】
本発明によれば、ディスクが載置されているか否かを検知するセンサが、ディスクをトレイに載置させるための開口部からディスクが装入されるトレイに対応付けられた位置に設けられる。よって、ディスクがトレイに載置された時点で、このトレイにディスクが載置されたことを検知できるので、各トレイにディスクが載置されているか否かを効率よく検知できる。
【００１４】
本発明に係るディスク装置は、前記センサは、前記ディスク保持部に形成されたいずれかのトレイに載置されたディスクに対して情報の記録又は再生を行なう記録再生手段であることを特徴とする。
【００１５】
本発明によれば、トレイに載置されたディスクに対して情報の記録又は再生を行なう記録再生手段を用いて、トレイにディスクが載置されているか否かを検知することにより、センサ等の構成要素を追加する必要がない。よって、コストの増加を回避できる。
【００１６】
本発明に係るディスク装置は、前記ディスク保持部に形成されたトレイのうちの１又は複数のトレイにディスクを載置するための開口部と、ディスクの載置指示を受け付ける受付手段と、該受付手段が載置指示を受け付けた場合、前記ディスク保持部を回転させて、前記検出手段によってディスクが載置されていないことを検出されたトレイを、前記開口部からディスクが載置される位置に移動させる回転手段とを備えることを特徴とする。
【００１７】
本発明によれば、ディスクの載置指示を受け付けた場合に、ディスクが載置されていないトレイを、開口部からディスクが載置される位置に移動させる。ディスクが載置されていないトレイを適切に把握しているので、ディスクの載置指示を受け付けた場合に、ディスクが載置されていないトレイを検出して適切な位置に移動させるために要する時間が短縮される。
【発明の効果】
【００１８】
本発明では、ディスクが載置されていないトレイを常に把握しておくことにより、ディスクが載置されていないトレイが必要となった場合に、ディスクが載置されていないトレイを検出するために要する時間が短縮される。
【図面の簡単な説明】
【００１９】
【図１】実施形態１のＣＤプレーヤーの外観を示す外観図である。
【図２】実施形態１のＣＤプレーヤーの内部構成を示す模式図である。
【図３】実施形態１のＣＤプレーヤーの機能構成を示すブロック図である。
【図４】蓋部を開けられた場合にＣＤプレーヤーが行なう処理の手順を示すフローチャートである。
【図５】トレイ情報の構成を示す模式図である。
【図６】蓋部を開けられた場合にＣＤプレーヤーが行なう処理の手順を示すフローチャートである。
【発明を実施するための形態】
【００２０】
（実施形態１）
以下に、本発明に係るディスク装置を、ＣＤプレーヤーに適用した実施形態１を示す図面に基づいて具体的に説明する。図１は実施形態１のＣＤプレーヤーの外観を示す外観図、図２は実施形態１のＣＤプレーヤーの内部構成を示す模式図である。なお、図１（ａ）には、後述する蓋部２が閉じられている状態を示し、図１（ｂ）には、蓋部２が開けられている状態を示している。また、図２には、ＣＤプレーヤーの上面板を取り除いた状態を示している。
【００２１】
本実施形態１のＣＤプレーヤー１は、筺体の一側面に操作部３及び表示部４を備える。操作部３は、ＣＤプレーヤー１を操作するために必要な複数の操作ボタンを有する。表示部４は、例えば液晶ディスプレイ（ＬＣＤ）であり、ＣＤプレーヤー１の動作状況、ユーザに通知すべき情報等を表示する。
【００２２】
また、本実施形態１のＣＤプレーヤー１には、筺体の上面板の、操作部３及び表示部４を備える側面側の中央に、上面板に対して開閉自在に蓋部２が設けられている。蓋部２の近傍には、蓋部２の開閉を検知する蓋センサ１３（図３参照）が設けられており、蓋センサ１３は、検知結果、即ち、蓋部２が開いているか否かを制御部１０（図３参照）に随時通知する。本実施形態１のＣＤプレーヤー１では、蓋部２が開けられることによって筺体の上面板に形成される開口部が、ＣＤをＣＤプレーヤー１内部に装入するための装入口２ａとなる。
【００２３】
本実施形態１のＣＤプレーヤー１は、筺体の内部に、円板状に形成されたターンテーブル５を、円形面を水平方向と平行にして、中央部分を回転軸として回転可能に保持している。ターンテーブル５の上面には、回転軸と外縁との間に同間隔を隔てて、複数のＣＤがそれぞれ載置される複数のトレイ５１，５２，５３，５４，５５が形成されている。なお、本実施形態１では、ターンテーブル５には５つのトレイ５１〜５５が形成されている構成を例に説明するが、トレイの数はこれに限らず、１０個又は２０個等のトレイが形成されていてもよい。ターンテーブル５は、回転軸を中心に一方向（時計回り又は反時計回り）に回転するように設けられてもよいし、両方向（時計回り及び反時計回り）に回転するように設けられてもよい。
【００２４】
トレイ５１〜５５は、ターンテーブル５の上面にＣＤの外形状に形成された円形断面を有する凹部であり、凹部の底面には、Ｕ字型断面の貫通孔が形成されている。ターンテーブル５は、それぞれのトレイ５１〜５５にＣＤが載置されることにより、それぞれのＣＤを保持するディスク保持部として機能する。また、ターンテーブル５は、回転軸を中心に７２°毎に段階的に回転することができるように構成されている。段階的な回転は、例えば凹凸の係合を利用し、ターンテーブル５の下面の適宜位置と、それに対向する位置に係合部を設けることにより実現できる。
【００２５】
このような係合部を設けることにより、ターンテーブル５を回転させた場合であっても、トレイ５１〜５５を常に所定位置に配置させることができる。即ち、後述する光ピックアップ７による情報の読取位置に、いずれかのトレイ５１（又は５２，５３，５４，５５）に載置されたＣＤを適切に配置させることができる。
【００２６】
なお、段階的な回転は、ターンテーブル５の裏面の適宜位置に凸部を形成し、凸部に対向する位置にフォトインタラプタを設けておき、フォトインタラプタによって凸部が検知されるまでターンテーブル５を回転させることにより実現してもよい。更に、ロータリーエンコーダを用いて、ターンテーブル５の回転角度を検出し、必要に応じて適切な回転角度でターンテーブル５を回転させることにより、段階的な回転を実現してもよい。
【００２７】
また、筺体の内部のターンテーブル５の下方には、各トレイ５１〜５５の貫通孔に対向する位置に、各トレイにＣＤが載置されているか否かを検知するディスクセンサ６１，６２，６３，６４，６５が設けられている。ディスクセンサ６１〜６５は、例えば、フォトセンサであり、フォトセンサは、所定箇所に設けられた発光素子及び受光素子を有し、発光素子からの光が受光素子で受光できるか否かに基づいて、各トレイにＣＤが載置されているか否かを検知する。また、ディスクセンサ６１〜６５は、フォトセンサに限らず、近接センサ等を用いることもできる。
【００２８】
また、筺体の内部のターンテーブル５の下方には、いずれかのトレイの貫通孔に対向する位置に光ピックアップ７が設けられている。図２では、光ピックアップ７は、トレイ５４の貫通孔に対向する位置に設けられているが、この構成に限らない。光ピックアップ７は、トレイ５４に載置されたＣＤの記録面（下面）に下側からレーザ光（光ビーム）を照射するレーザ光源及びＣＤからのレーザ光の戻り光を受光する受光部等を有し、レーザ光を用いてＣＤに記録されているデータを再生する再生手段である。なお、光ピックアップ７は、レーザ光を用いてＣＤにデータを記憶する構成を備えていてもよい。
【００２９】
また、本実施形態１のＣＤプレーヤー１には、スピーカ１５（図３参照）が接続されており、ＣＤプレーヤー１は、ＣＤから読み出した音信号をスピーカ１５に対して出力する。スピーカ１５は、ＣＤプレーヤー１から出力された音信号に基づいた音（音楽、音声）を出力する。
【００３０】
図３は実施形態１のＣＤプレーヤー１の機能構成を示すブロック図である。本実施形態１のＣＤプレーヤー１は、制御部１０、メモリ部１１、再生処理部１２、蓋センサ１３、ディスクセンサ６１〜６５、操作部３、表示部４、信号出力部１４等を備え、これらのハードウェア各部はシステムバスを介して相互に接続されている。
【００３１】
制御部１０は、ＣＰＵ（Central Processing Unit ）又はＭＰＵ（Micro Processor Unit）等であり、上述したようなハードウェア各部の動作を制御すると共に、メモリ部１１に予め格納されている制御プログラムを適宜読み出して実行する。メモリ部１１には、ＣＤプレーヤー１として動作するために必要な種々の制御プログラムが予め格納されている。また、メモリ部１１は、制御部１０による制御プログラムの実行時に発生するデータ、光ピックアップ７がＣＤから読み出したデータ等を一時的に記憶する。
【００３２】
再生処理部１２は、光ピックアップ７、光ピックアップ７に対向する位置のトレイ（図２ではトレイ５４）に載置されたＣＤを回転させるモータ（図示せず）、ターンテーブル５を回転させるモータ（図示せず）等を備える。再生処理部１２は、制御部１０からの指示に従って、ターンテーブル５を回転させていずれかのトレイをピックアップ７の対向位置に移動させる。また、再生処理部１２は、移動させたトレイに載置されているＣＤに記録されているデータを光ピックアップ７によって読み出す。これにより、ターンテーブル５のいずれかのトレイに載置されているＣＤに対する再生処理が可能となる。
【００３３】
蓋センサ１３は、蓋部２が開いているか否かを検知し、検知結果が変化した場合に、その検知結果を制御部１０に通知する。よって、制御部１０は、蓋部２が開けられた場合又は閉じられた場合に、その旨を把握できる。
【００３４】
ディスクセンサ６１〜６５は、対向する位置のトレイ５１〜５５にＣＤが載置されているか否かを検知し、例えば、ＣＤが載置されている場合に、その旨を制御部１０に通知する。制御部１０は、各ディスクセンサ６１〜６５が、ターンテーブル５上のいずれのトレイ５１〜５５に対応するかを管理しているので、ディスクセンサ６１〜６５から通知される情報に基づいて、いずれのトレイにＣＤが載置されているかを把握できる。なお、ディスクセンサ６１〜６５は、検知結果が変化した場合に、その検知結果を制御部１０に通知してもよい。この場合、制御部１０は、各ディスクセンサ６１〜６５から通知された検知結果を保持しておくことにより、いずれのトレイにＣＤが載置されているかを常に把握できる。
【００３５】
操作部３は、ユーザにより各操作ボタンが操作された場合、操作された操作ボタンに対応した制御信号を制御部１０へ送出する。制御部１０は取得した制御信号に対応した処理を実行する。表示部４は、制御部１０からの指示に従って、ＣＤプレーヤー１の動作状態、操作部３を介して入力された情報、ユーザに対して通知すべき情報等を表示する。
【００３６】
信号出力部１４は、ＣＤプレーヤー１の外部のスピーカ１５に接続されており、再生処理部１２によってＣＤから読み出された音信号をスピーカ１５へ出力する。これにより、光ピックアップ７によってＣＤから読み出された音信号をスピーカ１５で再生させることができる。
【００３７】
上述した構成のＣＤプレーヤー１は、ユーザによって蓋部２が開けられた場合、新たなＣＤをＣＤプレーヤー１の内部に装入（載置）する載置指示として受け付ける。載置指示を受け付けた場合、制御部１０は、ディスクセンサ６１〜６５から通知される検知結果に基づいて、ＣＤが載置されていないトレイ（以下、空きトレイという）があるか否かを判断する。空きトレイがあると判断した場合、制御部１０は、ターンテーブル５を回転させて、空きトレイを蓋部２の直下に移動させる。具体的には、制御部１０は、ターンテーブル５を回転させるモータを制御してターンテーブル５を回転させる。なお、空きトレイが複数あった場合、例えば、ターンテーブル５の回転方向を考慮し、より少ない回転角度で蓋部２の直下に移動できる空きトレイを特定すればよい。
【００３８】
また、本実施形態１のＣＤプレーヤー１は、ユーザによっていずれかのトレイが選択された上で再生指示を受け付けた場合、選択されたトレイに載置されているＣＤの再生を行なう。この場合、制御部１０は、ターンテーブル５を回転させて、選択されたトレイを光ピックアップ７の対向位置に移動させ、光ピックアップ７に再生処理を行なわせる。これにより、再生指示されたＣＤの再生が行なわれる。
【００３９】
更に、本実施形態１のＣＤプレーヤー１は、ユーザによっていずれかのトレイが選択された上で排出指示を受け付けた場合、ターンテーブル５を回転させて、選択されたトレイを蓋部２の直下に移動させる。これにより、ユーザが取り出したいＣＤが蓋部２の直下に移動してくるので、ユーザは、蓋部２を開けてＣＤを取り出ることができる。
【００４０】
以下に、本実施形態１のＣＤプレーヤー１が、蓋部２を開けられた場合に行なう処理についてフローチャートに基づいて説明する。図４は蓋部２を開けられた場合にＣＤプレーヤー１が行なう処理の手順を示すフローチャートである。なお、以下の処理は、メモリ部１１に予め格納されている制御プログラムに従って制御部１０によって実行される。
【００４１】
蓋部２が閉じられている状態のＣＤプレーヤー１において、制御部１０は、蓋センサ１３から通知される情報に基づいて、蓋部２が開けられたか否かを判断する（Ｓ１）。蓋部２が開けられていないと判断した場合（Ｓ１：ＮＯ）、制御部１０は、他の処理を行ないつつ待機する。蓋部２が開けられたと判断した場合（Ｓ１：ＹＥＳ）、制御部１０は、ディスクセンサ６１〜６５から通知される情報に基づいて、空きトレイを特定する（Ｓ２）。
【００４２】
制御部１０は、空きトレイを特定できたか否かを判断しており（Ｓ３）、空きトレイがないと判断した場合（Ｓ３：ＮＯ）、空きトレイがないことをユーザに通知し（Ｓ４）、本処理を終了する。ユーザに通知する方法としては、例えば、空きトレイがないことを示すメッセージを表示部４に表示させる方法がある。また、空きトレイがない場合に点灯するＬＥＤランプを設けておき、このＬＥＤランプを点灯させることによってユーザに通知してもよい。
【００４３】
空きトレイがあると判断した場合（Ｓ３：ＹＥＳ）、制御部１０は、ターンテーブル５を回転させて、空きトレイを蓋部２の直下に移動させる（Ｓ５）。なお、空きトレイが複数あった場合、いずれかの空きトレイを特定して蓋部２の直下に移動させる。制御部１０は、蓋部２の直下に移動させたトレイに対向配置されたディスクセンサから通知される情報に基づいて、このトレイにＣＤが載置されたか否かを判断する（Ｓ６）。載置されたと判断した場合（Ｓ６：ＹＥＳ）、制御部１０は、ステップＳ２に処理を戻し、ディスクセンサ６１〜６５から通知される情報に基づいて空きトレイを特定し（Ｓ２）、空きトレイを特定できたか否かを再度判断する（Ｓ３）。
【００４４】
そして、制御部１０は、空きトレイがないと判断した場合（Ｓ３：ＮＯ）、空きトレイがないことをユーザに通知し（Ｓ４）、空きトレイがあると判断した場合（Ｓ３：ＹＥＳ）、ターンテーブル５を回転させて、空きトレイを蓋部２の直下に移動させる（Ｓ５）。
【００４５】
ステップＳ６で、蓋部２の直下に移動させたトレイにＣＤが載置されていないと判断した場合（Ｓ６：ＮＯ）、制御部１０は、蓋センサ１３から通知される情報に基づいて、蓋部２が閉じられたか否かを判断する（Ｓ７）。蓋部２が閉じられていないと判断した場合（Ｓ７：ＮＯ）、制御部１０は、ステップＳ６の処理に戻り、蓋部２が閉じられたと判断した場合（Ｓ７：ＹＥＳ）、本処理を終了する。
【００４６】
上述した処理により、本実施形態１のＣＤプレーヤー１では、蓋部２が開けられてＣＤが装入される場合に、空きトレイにＣＤが載置される都度、別の空きトレイが自動的に検出されて蓋部２の直下に移動してくる。本実施形態１のＣＤプレーヤー１では、ターンテーブル５に形成されたトレイ５１〜５５の全てに対してディスクセンサ６１〜６５が設けられているので、各トレイ５１〜５５にＣＤが載置されているか否かを常に確実に把握できる。従来の装置では、各トレイにディスクが載置されているか否かを検出する場合に、検出手段が設けられている位置に各トレイを順次移動させる必要があったが、本実施形態１では、その必要がなくなり、空きトレイを検索するために要する時間が短縮される。よって、ＣＤプレーヤー１の内部にＣＤを装入させる際の待ち時間が短縮できる。特に、連続して複数枚のＣＤを装入する場合には、空きトレイが蓋部２の直下に移動してくるまでに要する時間を短縮できるので、待ち時間によるユーザのストレスを軽減できる。
【００４７】
（実施形態２）
以下に、本発明に係るディスク装置を、ＣＤプレーヤーに適用した実施形態２を示す図面に基づき具体的に説明する。なお、本実施形態２のＣＤプレーヤーは、上述した実施形態１のＣＤプレーヤー１と同様の構成を有しており、同様の構成については同一の符号を付して説明を省略する。
【００４８】
上述した実施形態１のＣＤプレーヤー１は、ターンテーブル５上のトレイ５１〜５５のそれぞれに対応してディスクセンサ６１〜６５を備えていた。これに対して、本実施形態２のＣＤプレーヤー１は、蓋部２の直下のトレイに対応する位置にのみディスクセンサを備える。即ち、本実施形態２のＣＤプレーヤー１は、図２に示した構成において、ディスクセンサ６１，６３，６４，６５を備えない。
【００４９】
本実施形態２のＣＤプレーヤー１は、各トレイ５１〜５５の位置を示す情報（トレイ番号）と、各トレイ５１〜５５にＣＤが載置されているか否かを示すＣＤ載置情報とを対応付けてトレイ情報としてメモリ部１１に格納する。なお、制御部１０は、ユーザによって蓋部２が開けられて蓋部２の直下のトレイにＣＤが載置された場合、蓋部２の直下のトレイからＣＤが取り出された場合、ターンテーブル５の回転に伴って各トレイ５１〜５５の位置が移動した場合に随時トレイ情報を更新する。
【００５０】
図５はトレイ情報の構成を示す模式図である。図５に示すトレイ情報において、トレイ番号は、各トレイ５１〜５５の位置を示す情報である。例えば、トレイ番号「１」は、蓋部２の直下の位置のトレイを示し、トレイ番号「２」は、蓋部２の直下の位置のトレイに対して、ターンテーブル５を上から見た時計回りに隣り合う位置のトレイを示している。更に、トレイ番号「３」は、トレイ番号「２」の位置のトレイに対して更に隣り合う位置のトレイを示している。また、ＣＤ載置情報は、「１」が各トレイ５１〜５５にＣＤが載置されていることを示し、「０」が載置されていないことを示している。
【００５１】
制御部１０は、ユーザによって蓋部２の直下のトレイにＣＤが載置された場合、トレイ情報のトレイ番号「１」に対応するＣＤ載置情報を「１」に更新する。また、制御部１０は、蓋部２の直下のトレイからＣＤが取り出された場合、トレイ情報のトレイ番号「１」に対応するＣＤ載置情報を「０」に更新する。
【００５２】
更に、制御部１０は、ターンテーブル５の回転に伴って各トレイ５１〜５５の位置が移動した場合にトレイ情報を更新する。例えば、ターンテーブル５を上から見て反時計周りに７２°回転させた場合、トレイ番号１の位置（蓋部２の直下の位置）にあったトレイが、トレイ番号５の位置に移動する。また、トレイ番号２の位置にあったトレイが、トレイ番号１の位置に移動し、トレイ番号３の位置にあったトレイが、トレイ番号２の位置に移動し、トレイ番号４の位置にあったトレイが、トレイ番号３の位置に移動し、トレイ番号５の位置にあったトレイが、トレイ番号４の位置に移動する。
【００５３】
従って、このとき、制御部１０は、トレイ情報のトレイ番号「１」に対応するＣＤ載置情報を、トレイ番号「５」に対応するＣＤ載置情報に変更し、トレイ番号「２」に対応するＣＤ載置情報を、トレイ番号「１」に対応するＣＤ載置情報に変更する。また、制御部１０は、トレイ番号「３」に対応する載置情報を、トレイ番号「２」に対応するＣＤ載置情報に変更し、トレイ番号「４」に対応する載置情報を、トレイ番号「３」に対応するＣＤ載置情報に変更し、トレイ番号「５」に対応する載置情報を、トレイ番号「４」に対応するＣＤ載置情報に変更する。
【００５４】
上述したように、蓋部２の直下のトレイにＣＤが載置された場合、蓋部２の直下のトレイからＣＤが取り出された場合、ターンテーブル５の回転に伴って各トレイ５１〜５５の位置が移動した場合にトレイ情報を随時更新することにより、各トレイ５１〜５５にＣＤが載置されているか否かを常に確実に把握できる。
【００５５】
なお、各トレイ５１〜５５を識別するための識別情報を各トレイ５１〜５５に付与し、各識別情報と、各トレイ５１〜５５におけるＣＤ載置情報とを対応付けて管理すると共に、ターンテーブル５の回転に伴って各トレイ５１〜５５が現在どの位置にあるのかを示す情報を管理しておくことによって、どの位置にあるトレイが、ＣＤが載置されているトレイであるかを把握するようにしてもよい。
【００５６】
以下に、本実施形態２のＣＤプレーヤー１が、蓋部２を開けられた場合に行なう処理についてフローチャートに基づいて説明する。図６は蓋部２を開けられた場合にＣＤプレーヤー１が行なう処理の手順を示すフローチャートである。なお、以下の処理は、メモリ部１１に予め格納されている制御プログラムに従って制御部１０によって実行される。
【００５７】
蓋部２が閉じられている状態のＣＤプレーヤー１において、制御部１０は、蓋センサ１３から通知される情報に基づいて、蓋部２が開けられたか否かを判断する（Ｓ１１）。蓋部２が開けられていないと判断した場合（Ｓ１１：ＮＯ）、制御部１０は、他の処理を行ないつつ待機する。蓋部２が開けられたと判断した場合（Ｓ１１：ＹＥＳ）、制御部１０は、メモリ部１１に格納されているトレイ情報に基づいて、空きトレイを特定する（Ｓ１２）。
【００５８】
制御部１０は、空きトレイを特定できたか否かを判断しており（Ｓ１３）、空きトレイがないと判断した場合（Ｓ１３：ＮＯ）、空きトレイがないことをユーザに通知し（Ｓ１４）、本処理を終了する。空きトレイがあると判断した場合（Ｓ１３：ＹＥＳ）、制御部１０は、ターンテーブル５を回転させて、空きトレイを蓋部２の直下に移動させる（Ｓ１５）。なお、空きトレイが複数あった場合、例えば、トレイ番号が小さいトレイを特定すればよい。
【００５９】
制御部１０は、ターンテーブル５の回転に伴って移動した各トレイ５１〜５５の位置に応じて、メモリ部１１に格納されているトレイ情報を更新する（Ｓ１６）。具体的には、制御部１０は、トレイ情報のトレイ番号１，２，３，４，５に対応するＣＤ載置情報を、各トレイ番号のトレイが移動した先のトレイ番号１，２，３，４，５に対応するＣＤ載置情報に更新する。
【００６０】
制御部１０は、蓋部２の直下に移動させたトレイに対向配置されたディスクセンサ６２から通知される情報に基づいて、このトレイにＣＤが載置されたか否かを判断する（Ｓ１７）。載置されたと判断した場合（Ｓ１７：ＹＥＳ）、制御部１０は、メモリ部１１に格納されているトレイ情報を更新する（Ｓ１８）。具体的には、制御部１０は、トレイ情報のトレイ番号「１」に対応するＣＤ載置情報を「１」に更新する。
【００６１】
制御部１０は、ステップＳ１２に処理を戻し、メモリ部１１に格納されているトレイ情報に基づいて、空きトレイを特定し（Ｓ１２）、空きトレイを特定できたか否かを再度判断する（Ｓ１３）。そして、制御部１０は、空きトレイがないと判断した場合（Ｓ１３：ＮＯ）、空きトレイがないことをユーザに通知する（Ｓ１４）。空きトレイがあると判断した場合（Ｓ１３：ＹＥＳ）、制御部１０は、ターンテーブル５を回転させて、空きトレイを蓋部２の直下に移動させ（Ｓ１５）、移動した各トレイ５１〜５５の位置に応じてトレイ情報を更新する（Ｓ１６）。
【００６２】
ステップＳ１７で、蓋部２の直下に移動させたトレイにＣＤが載置されていないと判断した場合（Ｓ１７：ＮＯ）、制御部１０は、蓋センサ１３から通知される情報に基づいて、蓋部２が閉じられたか否かを判断する（Ｓ１９）。蓋部２が閉じられていないと判断した場合（Ｓ１９：ＮＯ）、制御部１０は、ステップＳ１７の処理に戻り、蓋部２が閉じられたと判断した場合（Ｓ１９：ＹＥＳ）、本処理を終了する。
【００６３】
上述した処理により、本実施形態２のＣＤプレーヤー１では、蓋部２が開けられてＣＤが装入される場合に、空きトレイにＣＤが載置される都度、別の空きトレイが自動的に検出されて蓋部２の直下に移動してくる。本実施形態２のＣＤプレーヤー１では、メモリ部１１に格納されるトレイ情報を逐次更新することにより、各トレイ５１〜５５にＣＤが載置されているか否かを常に確実に把握できる。よって、空きトレイを検索するために要する時間が短縮されるので、ＣＤプレーヤー１の内部にＣＤを装入させる際の待ち時間が短縮できる。特に、連続して複数枚のＣＤを装入する場合には、空きトレイが蓋部２の直下に移動してくるまでに要する時間を短縮できるので、待ち時間によるユーザのストレスを軽減できる。
【００６４】
なお、本実施形態２のＣＤプレーヤー１は、実施形態１のＣＤプレーヤー１よりも少ない数のディスクセンサで実現できるので、トレイの数が増加した場合であっても、ディスクセンサの追加によるコストの増大を回避できる。また、本実施形態２のＣＤプレーヤー１は、蓋部２の直下のトレイに対向する位置にディスクセンサを１つ設ける構成であった。このディスクセンサの代わりに光ピックアップ７を用いることもできる。即ち、光ピックアップ７は、照射したレーザ光のＣＤからの反射光に基づいて、対向する位置にＣＤが載置されているか否かを検知できる。従って、光ピックアップ７の対向位置では、トレイにＣＤが載置されているか否かを検知でき、この検知結果を用いて、各トレイにＣＤが載置されているか否かを管理してもよい。
【００６５】
本実施形態２のＣＤプレーヤー１は、蓋部２の直下のトレイに対向する位置にディスクセンサを１つ設ける構成であったが、トレイ５１〜５５のうちの複数のトレイに対向する位置のそれぞれにディスクセンサを設けてもよい。この場合、ターンテーブル５の回転に伴って移動する各トレイにＣＤが載置されているか否かを、複数のディスクセンサによって複数箇所で検出できるので、各トレイのＣＤの載置状態をより正確に把握できる。
【００６６】
上述した実施形態１，２では、蓋部２は、１つのトレイ（図２ではトレイ５２）にＣＤを装入（載置）するための装入口２ａを被覆していたが、蓋部を開けることによって、複数のトレイに同時にＣＤを載置できる装入口が形成されるように構成してもよい。例えば、図１に示すような蓋部を複数のトレイの直上に形成してもよいし、複数のトレイを含む大きさの蓋部を形成してもよい。これにより、このように形成された蓋部の直下に位置するトレイが空きトレイであれば、複数のトレイに同時に複数のＣＤを載置できる。
【００６７】
上述した実施形態１，２では、本発明のディスク装置をＣＤプレーヤーに適用した例について説明したが、本発明のディスク装置は、円板状に形成された記録媒体（ディスク）を取り扱う装置であれば、ＣＤプレーヤーに限られない。本発明のディスク装置は、例えば、ＤＶＤプレーヤー、ディスクを用いたカラオケ装置、ディスクに対してデータの記録を行なう記録装置等にも適用できる。
【符号の説明】
【００６８】
１  ＣＤプレーヤー（ディスク装置）
２  蓋部
２ａ  装入口
５  ターンテーブル（ディスク保持部）
１０  制御部
１１  メモリ部
１２  再生処理部
５１，５２，５３，５４，５５  トレイ
６１，６２，６３，６４，６５  ディスクセンサ
【図１】
2010244591.tif 000003
【図２】
2010244591.tif 000004
【図３】
2010244591.tif 000005
【図４】
2010244591.tif 000006
【図５】
2010244591.tif 000007
【図６】
2010244591.tif 000008